【事件の表示】
　特許第３２６２３７７号「出力方法及び装置」の請求項１ないし１４に係る特許に対する特許異議の申立てについて、次のとおり決定する。
【結　論】
　訂正を認める。
　特許第３２６２３７７号の請求項１ないし１２に係る特許を維持する。
【理　由】
１．手続の経緯
　本件特許第３２６２３７７号の請求項１〜１４に係る発明は、平成４年７月３１日に特許出願され、平成１３年１２月２１日に設定登録がなされ、末岡 定より特許異議の申立がなされ、取消理由通知がなされ、その指定期間内である平成１５年１月７日に訂正請求がなされ、再度、取消理由通知がなされ、平成１５年２月２８日に前記訂正請求は取り下げられると共に新たに訂正請求がなされたものである。
２．訂正の適否について
　ア．訂正の内容
　訂正事項ａ
　特許請求の範囲における請求項１に係る記載
「前記複数の状態から前記優先順位に従って選択され前記表示部に表示される状態を前記外部装置に通知するために、前記優先順位に従って選択され前記出力装置の表示部に表示される文字に対応する情報を前記外部装置に出力する出力ステップとを有することを特徴とする出力方法」を、
「前記外部装置からの要求を解析部により解析することに応じて、前記複数の状態から前記優先順位に従って選択され前記表示部に表示される状態を前記外部装置に通知するために、前記優先順位に従って選択され前記出力装置の表示部に表示される文字に対応する状態を含む複数の状態を示す情報を前記外部装置に出力する出力ステップとを有し、
前記外部装置には前記出力ステップにおいて出力された情報を解析する解析部が備えられており該解析部による解析によって状態の認識がなされ、優先順位に従った状態の表示が前記外部装置の表示部になされることを特徴とする出力方法」と訂正する。
　訂正事項ｂ
　特許請求の範囲における請求項４に係る記載
「前記出力ステップは、前記外部装置からのステータス要求に関するコマンドに応じて、前記優先順位に従って選択され前記表示部に表示される文字に対応する情報を、出力する」を、
「前記出力ステップは、前記外部装置からのステータス要求に関するコマンドに応じて、前記優先順位に従って選択され前記表示部に表示される文字に対応する状態を含む複数の状態を示す情報を、出力する」と訂正する。
　訂正事項ｃ
　特許請求の範囲における請求項５に係る記載
「前記出力ステップは、前記出力装置における状態の変化が検知された際に、前記優先順位に従って選択され前記表示部に表示される文字に対応する情報を前記外部装置に出力する」を、
「前記出力ステップは、前記出力装置における状態の変化が検知された際に、前記優先順位に従って選択され前記表示部に表示される文字に対応する状態を含む複数の状態を示す情報を前記外部装置に出力する」と訂正する。
　訂正事項ｄ
　特許請求の範囲における請求項６に係る記載
「前記出力ステップは、前記出力装置がオフラインの場合にも、前記優先順位に従って選択され前記出力装置の表示部に表示される文字に対応する情報を前記外部装置に出力する」を、
「前記出力ステップは、前記出力装置がオフラインの場合にも、前記優先順位に従って選択され前記出力装置の表示部に表示される文字に対応する状態を含む複数の状態を示す情報を前記外部装置に出力する」と訂正する。
　訂正事項ｅ
　特許請求の範囲における請求項８に係る記載
「前記複数の状態から前記優先順位に従って選択され前記表示部に表示される状態を前記外部装置に通知するために、前記優先順位に従って選択され前記出力装置の表示部に表示される文字に対応する情報を前記外部装置に出力する出力手段とを有することを特徴とする出力装置」を、
「前記外部装置からの要求を解析部により解析することに応じて、前記複数の状態から前記優先順位に従って選択され前記表示部に表示される状態を前記外部装置に通知するために、前記優先順位に従って選択され前記出力装置の表示部に表示される文字に対応する状態を含む複数の状態を示す情報を前記外部装置に出力する出力手段とを有し、前記外部装置には前記出力手段により出力された情報を解析する解析部が備えられており該解析部による解析によって状態の認識がなされ、優先順位に従った状態の表示が前記外部装置の表示部になされることを特徴とする出力装置」と訂正する。
　訂正事項ｆ
　特許請求の範囲における請求項１１に係る記載
「前記出力手段は、前記外部装置からのステータス要求に関するコマンドに応じて、前記優先順位に従って選択され前記表示部に表示される文字に対応する情報を、出力する」を、
「前記出力手段は、前記外部装置からのステータス要求に関するコマンドに応じて、前記優先順位に従って選択され前記表示部に表示される文字に対応する状態を含む複数の状態を示す情報を、出力する」と訂正する。
　訂正事項ｇ
　特許請求の範囲における請求項１２に係る記載
「前記出力手段は、前記出力装置における状態の変化が検知された際に、前記優先順位に従って選択され前記表示部に表示される文字に対応する情報を前記外部装置に出力する」を、
「前記出力手段は、前記出力装置における状態の変化が検知された際に、前記優先順位に従って選択され前記表示部に表示される文字に対応する状態を含む複数の状態を示す情報を前記外部装置に出力する」と訂正する。
　訂正事項ｈ
　特許請求の範囲における請求項１３に係る記載
「前記出力手段は、前記出力装置がオフラインの場合にも、前記優先順位に従って選択され前記表示部に表示される文字に対応する情報を前記外部装置に出力する」を、
「前記出力手段は、前記出力装置がオフラインの場合にも、前記優先順位に従って選択され前記表示部に表示される文字に対応する状態を含む複数の状態を示す情報を前記外部装置に出力する」と訂正する。
　訂正事項ｉ
　特許請求の範囲における請求項２及び請求項９を削除すると共に、請求項３、４、５、６、７、８、１０、１１、１２、１３、１４の項番号をそれぞれ順次に繰り上げて新請求項２、３、４、５、６、７、８、９、１０、１１、１２と訂正する。
　訂正事項ｊ
　特許明細書における段落【０００７】〜【０００８】の【課題を解決するための手段】の記載
「【０００７】
【課題を解決するための手段】
　上記課題を解決するために、本発明は、外部装置からのデータに基づき印刷を行う出力装置における複数の状態から優先順位に従った状態を選択する選択ステップと、前記選択ステップにて前記複数の状態から優先順位に従って選択された状態を表わす文字を前記出力装置の表示部に表示させる表示制御ステップと、前記複数の状態から前記優先順位に従って選択され前記表示部に表示される状態を前記外部装置に通知するために、前記優先順位に従って選択され前記出力装置の表示部に表示される文字に対応する情報を前記外部装置に出力する出力ステップとを有することを特徴とする出力方法を提供する。
　【０００８】
　或は、本発明は、外部装置からのデータに基づき印刷を行う出力装置における複数の状態から優先順位に従った状態を選択する選択手段と、前記選択手段により前記複数の状態から優先順位に従って選択された状態を表わす文字を前記出力装置の表示部に表示させる表示制御手段と、前記複数の状態から前記優先順位に従って選択され前記表示部に表示される状態を前記外部装置に通知するために、前記優先順位に従って選択され前記出力装置の表示部に表示される文字に対応する情報を前記外部装置に出力する出力手段とを有することを特徴とする出力装置を提供する。」を、
「【０００７】
【課題を解決するための手段】
　上記課題を解決するために、本発明は、外部装置からのデータに基づき印刷を行う出力装置における複数の状態から優先順位に従った状態を選択する選択ステップと、前記選択ステップにて前記複数の状態から優先順位に従って選択された状態を表わす文字を前記出力装置の表示部に表示させる表示制御ステップと、前記外部装置からの要求を解析部により解析することに応じて、前記複数の状態から前記優先順位に従って選択され前記表示部に表示される状態を前記外部装置に通知するために、前記優先順位に従って選択され前記出力装置の表示部に表示される文字に対応する状態を含む複数の状態を示す情報を前記外部装置に出力する出力ステップとを有し、前記外部装置には前記出力ステップにおいて出力された情報を解析する解析部が備えられており該解析部による解析によって状態の認識がなされ、優先順位に従った状態の表示が前記外部装置の表示部になされることを特徴とする出力方法を提供する。
　【０００８】
　或は、本発明は、外部装置からのデータに基づき印刷を行う出力装置における複数の状態から優先順位に従った状態を選択する選択手段と、前記選択手段により前記複数の状態から優先順位に従って選択された状態を表わす文字を前記出力装置の表示部に表示させる表示制御手段と、前記外部装置からの要求を解析部により解析することに応じて、前記複数の状態から前記優先順位に従って選択され前記表示部に表示される状態を前記外部装置に通知するために、前記優先順位に従って選択され前記出力装置の表示部に表示される文字に対応する状態を含む複数の状態を示す情報を前記外部装置に出力する出力手段とを有し、前記外部装置には前記出力ステップにおいて出力された情報を解析する解析部が備えられており該解析部による解析によって状態の認識がなされ、優先順位に従った状態の表示が前記外部装置の表示部になされることを特徴とする出力装置を提供する。」と訂正する。
　イ．訂正の目的の適否、新規事項の有無及び拡張・変更の存否
　訂正事項ａ〜ｈについて
　この訂正事項ａ〜ｈは、特許請求の範囲の減縮に該当し、特許明細書の段落【００２２】〜【００３６】の記載から直接的かつ一義的に導き出せる事項であるから、新規事項の追加に該当せず、実質的に特許請求の範囲を拡張又は変更するものではない。
　訂正事項ｉについて
　この訂正事項ｉは、請求項２及び請求項９の削除に整合するように請求項の項番号を付け替えるものであるから、明りょうでない記載の釈明に該当し、新規事項の追加に該当せず、実質的に特許請求の範囲を拡張又は変更するものではない。
　訂正事項ｊについて
　この訂正事項ｊは、上記訂正事項ａ〜ｈに整合するように特許明細書の段落【０００７】〜【０００８】の【課題を解決するための手段】の記載を訂正するものであるから、明りょうでない記載の釈明に該当し、新規事項の追加に該当せず、実質的に特許請求の範囲を拡張又は変更するものではない。
　ウ．むすび
　以上のとおり、上記訂正請求は、特許法第１２０条の４第２項及び同条第３項で準用する第１２６条第２〜３項の規定に適合するので、当該訂正を認める。
３．特許異議申立について
　ア．本件発明
　訂正後の本件特許明細書の特許請求の範囲の請求項１〜１２に係る発明（以下、本件発明１〜１２という。）は次のとおりのものである。
「【請求項１】　外部装置からのデータに基づき印刷を行う出力装置における複数の状態から優先順位に従った状態を選択する選択ステップと、
　前記選択ステップにて前記複数の状態から優先順位に従って選択された状態を表わす文字を前記出力装置の表示部に表示させる表示制御ステップと、
　前記外部装置からの要求を解析部により解析することに応じて、前記複数の状態から前記優先順位に従って選択され前記表示部に表示される状態を前記外部装置に通知するために、前記優先順位に従って選択され前記出力装置の表示部に表示される文字に対応する状態を含む複数の状態を示す情報を前記外部装置に出力する出力ステップとを有し、前記外部装置には前記出力ステップにおいて出力された情報を解析する解析部が備えられており該解析部による解析によって状態の認識がなされ、優先順位に従った状態の表示が前記外部装置の表示部になされることを特徴とする出力方法。
　【請求項２】　前記選択ステップにて選択された前記複数の状態から優先順位に従って選択された状態に対応する文字列を、前記複数の状態の夫々に対応する文字列を格納した文字列格納部より選択し現表示文字列格納部に複写する複写ステップとを更に有し、
　前記表示制御ステップは、前記複写ステップにより前記現表示文字列格納部に複写された文字列を前記表示部に表示させ、前記出力ステップは前記現表示文字列格納部に複写された文字列を前記外部装置に出力することを特徴とする請求項１に記載の出力方法。
　【請求項３】　前記出力ステップは、前記外部装置からのステータス要求に関するコマンドに応じて、前記優先順位に従って選択され前記表示部に表示される文字に対応する状態を含む複数の状態を示す情報を、出力することを特徴とする請求項１乃至２のいずれかに記載の出力方法。
　【請求項４】　前記出力ステップは、前記出力装置における状態の変化が検知された際に、前記優先順位に従って選択され前記表示部に表示される文字に対応する状態を含む複数の状態を示す情報を前記外部装置に出力することを特徴とする請求項１乃至３のいずれかに記載の出力方法。
　【請求項５】　前記出力ステップは、前記出力装置がオフラインの場合にも、前記優先順位に従って選択され前記出力装置の表示部に表示される文字に対応する状態を含む複数の状態を示す情報を前記外部装置に出力することを特徴とする請求項１乃至４のいずれかに記載の出力方法。
　【請求項６】　前記出力装置はインクジェットプリンタであることを特徴とする請求項１乃至５のいずれかに記載の出力方法。
　【請求項７】　外部装置からのデータに基づき印刷を行う出力装置における複数の状態から優先順位に従った状態を選択する選択手段と、
　前記選択手段により前記複数の状態から優先順位に従って選択された状態を表わす文字を前記出力装置の表示部に表示させる表示制御手段と、
　前記外部装置からの要求を解析部により解析することに応じて、前記複数の状態から前記優先順位に従って選択され前記表示部に表示される状態を前記外部装置に通知するために、前記優先順位に従って選択され前記出力装置の表示部に表示される文字に対応する状態を含む複数の状態を示す情報を前記外部装置に出力する出力手段とを有し、前記外部装置には前記出力ステップにおいて出力された情報を解析する解析部が備えられており該解析部による解析によって状態の認識がなされ、優先順位に従った状態の表示が前記外部装置の表示部になされることをすることを特徴とする出力装置。
　【請求項８】　前記複数の状態の夫々に対応する文字列を格納した文字列格納手段と、
　前記選択手段により選択された前記複数の状態から優先順位に従って選択された状態に対応する文字列を前記文字列格納手段より選択し現表示文字列格納部に複写する複写手段とを更に有し、
　前記表示制御手段は、前記複写手段により前記現表示文字列格納部に複写された文字列を前記表示部に表示させ、前記出力手段は前記現表示文字列格納部に複写された文字列を前記外部装置に出力することを特徴とする請求項７に記載の出力装置。
　【請求項９】　前記出力手段は、前記外部装置からのステータス要求に関するコマンドに応じて、前記優先順位に従って選択され前記表示部に表示される文字に対応する状態を含む複数の状態を示す情報を、出力することを特徴とする請求項７乃至８のいずれかに記載の出力装置。
　【請求項１０】　前記出力手段は、前記出力装置における状態の変化が検知された際に、前記優先順位に従って選択され前記表示部に表示される文字に対応す状態を含む複数の状態を示する情報を前記外部装置に出力することを特徴とする請求項７乃至９のいずれかに記載の出力装置。
　【請求項１１】　前記出力手段は、前記出力装置がオフラインの場合にも、
前記優先順位に従って選択され前記表示部に表示される文字に対応する状態を含む複数の状態を示す情報を前記外部装置に出力することを特徴とする請求項７乃至１０のいずれかに記載の出力装置。
　【請求項１２】　前記出力装置はインクジェットプリンタであることを特徴とする請求項７乃至１１のいずれかに記載の出力装置。」
　イ．異議申立の理由の概要
　異議申立人 末岡 定は、証拠として甲第１〜５号証を提出し、本件発明１〜１２は、特許法第２９条第２項の規定に違反して特許されたものであるから、それらの特許は取り消されるべき旨主張している。
　ウ．異議申立人が提出した甲各号証に記載の発明
　甲第１号証（取消理由通知に引用した刊行物１、特開昭５７−２０４０８６号公報）には、次の事項が記載されている。
「第１図及び第２図は、夫々この発明による表示装置を複写機に適用した実施例を示すブロック回路図及び操作部の模式図である。」（２頁右上欄１４行〜１６行）
「この表示器９は、ペーパジャム、ペーパエンド、トナーニアエンドの各異常を、夫々第４図（イ）（ロ）（ハ）に示すように表示する。」（２頁右下欄２行〜４行）
「ペーパジャム、ペーパエンド、トナーニアエンドの各異常が発生した場合には、予め定めた優先順位に従って、チェックして表示するので、複数の異常の表示が競合する場合でも、まず優先順位の高い情報（異常内容）が表示される。」（３頁右上欄１３行〜１８行）
　甲第２号証（取消理由通知に引用した刊行物２、特開昭６１−１６８０３６号公報）には、次の事項が記載されている。
「印字装置３０からは装置３０の状態を示す信号や制御情報がホスト機１０に送られる。」（２頁左下欄２行〜４行）
　甲第３号証（取消理由通知に引用した刊行物３、特開昭６３−２３３６５５号公報）には、次の事項が記載されている。
「装置内部で障害等が起こると制御部２２はそれを表わすあるデータを記憶部２２Ｍに記憶し、優先順位判定部２２Ｐでその優先度を判定してその優先度にしたがって、文字パターン発生部２２Ｃから発生した。その状態に対応する文字パターンをオペレーションパネルの表示部３０に表示する。」（２頁左下欄５行〜１０行）
「装置内部でオペレータに知らせるべき状態が発生するとそれを表す要因データを優先順位別に格納していく。それら要因データを優先順位の高いものから判断して、表示部に要因データに対する文字パターンを表示する。」（２頁右下欄３行〜７行）
　甲第４号証（取消理由通知に引用した刊行物４、特開平２−２３６６１５号公報）には、次の事項が記載されている。
「この発明は、レーザプリンタ、ＬＥＤプリンタ、液晶シャッタプリンタ、インクジェットプリンタ等の各種プリンタシステム、あるいは高機能複写機や高機能ファックス等の画像形成システムに関する。」（２頁左上欄３行〜７行）
「画像処理装置（コントローラ）あるいはホストシステムから一種類の状態問い合わせ命令（ステータスリクエストコマンド）によって、画像形成装置（プリントエンジン）側の情報を優先順位に従って逐次返信させることができる」（２３頁左下欄１１行〜１６行）
　甲第５号証（取消理由通知に引用した刊行物５、特開平２−２８９３７４号公報）には、次の事項が記載されている。
「プリンタの受信状態として、オンライン状態と呼ぶ状態１およびオフライン状態と呼ぶ状態２に加え、ホールド状態と呼ぶ状態３を用意し、状態３においては、ホストコンピュータから、プリンタの各種状態の問い合わせ用コマンドおよび印刷処理の再開、キャンセル指示等のエラー回復指示用コマンドのみを前記コマンド実行許可判定手段を用いて受け付け、実行し、」（４頁右下欄８行〜１５行）
「 （４）プリンタ状態問い合わせ
　 （５）印刷中断指示
　 （６）印刷再開指示
　 （７）印刷キャンセル指示
　ここで、（４）のコマンドに対し、プリンタ１１は前記プリンタ受信状態、各頁の印刷終了状況、エラー発生状況、その他を、ホストコンピュータ１０へ報告する。」（７頁左下欄１８行〜同頁右下欄５行）
　エ．対比・判断
　（１）本件発明１について
　本件発明１の「外部装置には前記出力ステップにおいて出力された情報を解析する解析部が備えられており該解析部による解析によって状態の認識がなされ、優先順位に従った状態の表示が前記外部装置の表示部になされる」ことは上記刊行物１〜５のいずれにも記載も示唆もされておらず、当業者に周知の慣用技術でもない。
　そして、本件発明１は、「外部装置には前記出力ステップにおいて出力された情報を解析する解析部が備えられており該解析部による解析によって状態の認識がなされ、優先順位に従った状態の表示が前記外部装置の表示部になされる」ことにより、出力装置がオンラインであるかオフラインであるかに関わりなく出力装置の内部状態に関する情報を外部装置上で認識することが可能となると共に出力装置の回復するタイミングが容易に図れるという作用効果を呈するものである。
　したがって、本件発明１は、刊行物１〜５に記載の発明及び周知の慣用技術に基づいて当業者が容易に発明をすることができたものとすることができないから、特許法第２９条第２項の規定に違反して特許されたものとすることができない。
　（２）本件発明２について
　本件発明２は、上記本件発明１を「前記選択ステップにて選択された前記複数の状態から優先順位に従って選択された状態に対応する文字列を、前記複数の状態の夫々に対応する文字列を格納した文字列格納部より選択し現表示文字列格納部に複写する複写ステップとを更に有し、
　前記表示制御ステップは、前記複写ステップにより前記現表示文字列格納部に複写された文字列を前記表示部に表示させ、前記出力ステップは前記現表示文字列格納部に複写された文字列を前記外部装置に出力する」点に限定するものであるから、上記「（１）本件発明１について」に記載したと同様の理由により特許法第２９条第２項の規定に違反して特許されたものとすることができない。
　（３）本件発明３について
　本件発明３は、上記本件発明１乃至２を「前記出力ステップは、前記外部装置からのステータス要求に関するコマンドに応じて、前記優先順位に従って選択され前記表示部に表示される文字に対応する状態を含む複数の状態を示す情報を、出力する」点に限定するものであるから、上記「（１）本件発明１について」に記載したと同様の理由により特許法第２９条第２項の規定に違反して特許されたものとすることができない。
　（４）本件発明４について
　本件発明４は、上記本件発明１乃至３を「前記出力ステップは、前記出力装置における状態の変化が検知された際に、前記優先順位に従って選択され前記表示部に表示される文字に対応する状態を含む複数の状態を示す情報を前記外部装置に出力する」点に限定するものであるから、上記「（１）本件発明１について」に記載したと同様の理由により特許法第２９条第２項の規定に違反して特許されたものとすることができない。
　（５）本件発明５について
　本件発明５は、上記本件発明１乃至４を「前記出力ステップは、前記出力装置がオフラインの場合にも、前記優先順位に従って選択され前記出力装置の表示部に表示される文字に対応する状態を含む複数の状態を示す情報を前記外部装置に出力する」点に限定するものであるから、上記「（１）本件発明１について」に記載したと同様の理由により特許法第２９条第２項の規定に違反して特許されたものとすることができない。
　（６）本件発明６について
　本件発明６は、上記本件発明１乃至５を「前記出力装置はインクジェットプリンタである」点に限定するものであるから、上記「（１）本件発明１について」に記載したと同様の理由により特許法第２９条第２項の規定に違反して特許されたものとすることができない。
　（７）本件発明７について
　出力装置に係る本件発明７は、出力方法に係る上記本件発明１と対比して範疇が異なるだけで実質的に同一であるから、上記「（１）本件発明１について」に記載したと同様の理由により特許法第２９条第２項の規定に違反して特許されたものとすることができない。
　（８）本件発明８について
　本件発明８は、上記本件発明７を「前記複数の状態の夫々に対応する文字列を格納した文字列格納手段と、前記選択手段により選択された前記複数の状態から優先順位に従って選択された状態に対応する文字列を前記文字列格納手段より選択し現表示文字列格納部に複写する複写手段とを更に有し、前記表示制御手段は、前記複写手段により前記現表示文字列格納部に複写された文字列を前記表示部に表示させ、前記出力手段は前記現表示文字列格納部に複写された文字列を前記外部装置に出力する」点に限定するものであるから、上記「（７）本件発明７について」に記載したと同様の理由により特許法第２９条第２項の規定に違反して特許されたものとすることができない。
　（９）本件発明９について
　本件発明９は、上記本件発明７乃至８を「前記出力手段は、前記外部装置からのステータス要求に関するコマンドに応じて、前記優先順位に従って選択され前記表示部に表示される文字に対応する状態を含む複数の状態を示す情報を、出力する」点に限定するものであるから、上記「（７）本件発明７について」に記載したと同様の理由により特許法第２９条第２項の規定に違反して特許されたものとすることができない。
　（１０）本件発明１０について
　本件発明１０は、上記本件発明７乃至９を「前記出力手段は、前記出力装置における状態の変化が検知された際に、前記優先順位に従って選択され前記表示部に表示される文字に対応す状態を含む複数の状態を示する情報を前記外部装置に出力する」点に限定するものであるから、上記「（１）本件発明１について」に記載したと同様の理由により特許法第２９条第２項の規定に違反して特許されたものとすることができない。
　（１１）本件発明１１について
　本件発明１１は、上記本件発明７乃至１０を「前記出力手段は、前記出力装置がオフラインの場合にも、
前記優先順位に従って選択され前記表示部に表示される文字に対応する状態を含む複数の状態を示す情報を前記外部装置に出力する」点に限定するものであるから、上記「（７）本件発明７について」に記載したと同様の理由により特許法第２９条第２項の規定に違反して特許されたものとすることができない。
　（１２）本件発明１２について
　本件発明１２は、上記本件発明７乃至１１を「前記出力装置はインクジェットプリンタである」点に限定するものであるから、上記「（７）本件発明７について」に記載したと同様の理由により特許法第２９条第２項の規定に違反して特許されたものとすることができない。
　オ．むすび
  以上のとおりであるから、異議申立の理由及び証拠によっては、本件発明１〜１２についての特許を取り消すことができない。
　また、他に本件発明１〜１２についての特許を取り消すべき理由を発見しない。
　よって、結論のとおり決定する。
【異議決定日】
平成１５年３月６日（２００３．３．６）
【訂正の要旨】
ａ．）特許第３２６２３７７号発明の明細書中の特許請求項の範囲１乃至１４において、もとの請求項２、９を削除し、以下項数を繰り上げ「１、２、３、４、５、６、７、８、９、１０、１１、１２」と訂正する。（クレーム対応表参照）。
ｂ．）特許請求の範囲における請求項１に係る記載「前記複数の状態から前記優先順位に従って選択され前記表示部に表示される状態を前記外部装置に通知するために、前記優先順位に従って選択され前記出力装置の表示部に表示される文字に対応する情報を前記外部装置に出力する出力ステップとを有することを特徴とする出力方法」を請求の範囲の減縮を目的として、「
前記外部装置からの要求を解析部により解析することに応じて、
状態を含む複数の状態を示す
有し、前記外部装置には前記出力ステップにおいて出力された情報を解析する解析部が備えられており該解析部による解析によって状態の認識がなされ、優先順位に従った状態の表示が前記外部装置の表示部になされる
ｃ．）特許請求の範囲における請求項４に係る記載「前記出力ステップは、前記外部装置からのステータス要求に関するコマンドに応じて、前記優先順位に従って選択され前記表示部に表示される文字に対応する情報を、出力する」を請求の範囲の減縮を目的として、「前記出力ステップは、前記外部装置からのステータス要求に関するコマンドに応じて、前記優先順位に従って選択され前記表示部に表示される文字に対応する
状態を含む複数の状態を示す
ｄ．）特許請求の範囲における請求項５に係る記載「前記出力ステップは、前記出力装置における状態の変化が検知された際に、前記優先順位に従って選択され前記表示部に表示される文字に対応する情報を前記外部装置に出力する」を請求の範囲の減縮を目的として、「前記出力ステップは、前記出力装置における状態の変化が検知された際に、前記優先順位に従って選択され前記表示部に表示される文字に対応する
状態を含む複数の状態を示す
ｅ．）特許請求の範囲における請求項６に係る記載「前記出力ステップは、前記出力装置がオフラインの場合にも、前記優先順位に従って選択され前記出力装置の表示部に表示される文字に対応する情報を前記外部装置に出力する」を請求の範囲の減縮を目的として、「前記出力ステップは、前記出力装置がオフラインの場合にも、前記優先順位に従って選択され前記出力装置の表示部に表示される文字に対応する
状態を含む複数の状態を示す
ｆ．）特許請求の範囲における請求項８に係る記載「前記複数の状態から前記優先順位に従って選択され前記表示部に表示される状態を前記外部装置に通知するために、前記優先順位に従って選択され前記出力装置の表示部に表示される文字に対応する情報を前記外部装置に出力する出力手段とを有することを特徴とする出力装置」を請求の範囲の減縮を目的として、「
前記外部装置からの要求を解析部により解析することに応じて、
状態を含む複数の状態を示す
し、前記外部装置には前記出力手段により出力された情報を解析する解析部が備えられており該解析部による解析によって状態の認識がなされ、優先順位に従った状態の表示が前記外部装置の表示部になされることを
ｇ．）特許請求の範囲における請求項１１に係る記載「前記出力手段は、前記外部装置からのステータス要求に関するコマンドに応じて、前記優先順位に従って選択され前記表示部に表示される文字に対応する情報を、出力する」を請求の範囲の減縮を目的として、「前記出力手段は、前記外部装置からのステータス要求に関するコマンドに応じて、前記優先順位に従って選択され前記表示部に表示される文字に対応する
状態を含む複数の状態を示す
ｈ．）特許請求の範囲における請求項１２に係る記載「前記出力手段は、前記出力装置における状態の変化が検知された際に、前記優先順位に従って選択され前記表示部に表示される文字に対応する情報を前記外部装置に出力する」を請求の範囲の減縮を目的として、「前記出力手段は、前記出力装置における状態の変化が検知された際に、前記優先順位に従って選択され前記表示部に表示される文字に対応する
状態を含む複数の状態を示す
ｉ．）特許請求の範囲における請求項１３に係る記載「前記出力手段は、前記出力装置がオフラインの場合にも、前記優先順位に従って選択され前記表示部に表示される文字に対応する情報を前記外部装置に出力する」を請求の範囲の減縮を目的として、「前記出力手段は、前記出力装置がオフラインの場合にも、前記優先順位に従って選択され前記表示部に表示される文字に対応する
状態を含む複数の状態を示す
（５４）【発明の名称】
出力方法及び装置
（５７）【特許請求の範囲】
　【請求項１】　外部装置からのデータに基づき印刷を行う出力装置における複数の状態から優先順位に従った状態を選択する選択ステップと、
前記選択ステップにて前記複数の状態から優先順位に従って選択された状態を表わす文字を前記出力装置の表示部に表示させる表示制御ステップと、
　
前記外部装置からの要求を解析部により解析することに応じて、
状態を含む複数の状態を示す
有し、前記外部装置には前記出力ステップにおいて出力された情報を解析する解析部が備えられており該解析部による解析によって状態の認識がなされ、優先順位に従った状態の表示が前記外部装置の表示部になされる
　【請求項
２
前記表示制御ステップは、前記複写ステップにより前記現表示文字列格納部に複写された文字列を前記表示部に表示させ、前記出力ステップは前記現表示文字列格納部に複写された文字列を前記外部装置に出力することを特徴とする請求項
１
　【請求項
３
状態を含む複数の状態を示す
１又は２
　【請求項
４
状態を含む複数の状態を示す
　【請求項
５
状態を含む複数の状態を示す
１乃至４
　【請求項
６
１乃至５
　【請求項
７
前記選択手段により前記複数の状態から優先順位に従って選択された状態を表わす文字を前記出力装置の表示部に表示させる表示制御手段と、
　
前記外部装置からの要求を解析部により解析することに応じて、
状態を含む複数の状態を示す
し、前記外部装置には前記出力手段により出力された情報を解析する解析部が備えられており該解析部による解析によって状態の認識がなされ、優先順位に従った状態の表示が前記外部装置の表示部になされることを
　【請求項
８
　前記選択手段により選択された前記複数の状態から優先順位に従って選択された状態に対応する文字列を前記文字列格納手段より選択し現表示文字列格納部に複写する複写手段とを更に有し、
　前記表示制御手段は、前記複写手段により前記現表示文字列格納部に複写された文字列を前記表示部に表示させ、前記出力手段は前記現表示文字列格納部に複写された文字列を前記外部装置に出力することを特徴とする請求項７に記載の出力装置。
　【請求項
９
状態を含む複数の状態を示す
７又は８
　【請求項
１０
状態を含む複数の状態を示す
７乃至９
　【請求項
１１
状態を含む複数の状態を示す
７乃至１０
　【請求項
１２
７乃至１１
【発明の詳細な説明】
　【０００１】
　【産業上の利用分野】
　本発明は、ホストコンピュータ等の外部装置と双方向の通信方式で接続され、該外部装置から送信される印字データを基に、像形成を行なう出力方法及び装置に関するものである。
　【０００２】
　【従来の技術】
　印字用のデータはケーブルによって接続されたホストコンピュータ等の外部装置から送信されるコマンド形式のデータを解析し、ビットマップデータに展開することにより作成する。上記の構成において出力装置は様々な内部状態を遷移しながら処理を行なう。これは例えば処理可能状態（以降レディ状態）であり、紙づまり（以降ジャム）であり、印刷用紙なしであり、インクなしであり、展開用メモリオーバである。また通常ジャムや紙なし等の印字不能状態になるとプリンタはエラー状態として印字を中断し、ユーザによる回復処理がなされるまで続行不能となる。
　【０００３】
　このような内部状態は出力装置に具備された液晶（ＬＣＤ）等から成る表示用パネル上に図９に示すように表示される。以上説明した従来例の構成において、従来の出力装置では該内部状態に関する情報をホストコンピュータ等の外部装置から認識する術がなかった。
　【０００４】
　また、従来の出力装置ではオフライン状態では外部装置との通信を行なわない為、出力装置の内部状態に関する情報をホストコンピュータ等の外部装置から送受信データを用いて認識する術がなかった。
　【０００５】
　【発明が解決しようとしている課題】
　上記従来例では、プリンタとホストコンピュータが離れた場所にある時にユーザがプリンタが印字不能状態にあることを認識できず、意図する印字結果が何時迄も得られないという欠点がある。
　【０００６】
　上記従来例では、出力装置がオフライン状態の時にはホストコンピュータからは何のアクセスもできず、出力装置のある所まで行き、直接出力装置に何らかの走査を行なわなければならないという欠点がある。
　【０００７】
　【課題を解決するための手段】
　上記課題を解決するために、本発明は、外部装置からのデータに基づき印刷を行う出力装置における複数の状態から優先順位に従った状態を選択する選択ステップと、前記選択ステップにて前記複数の状態から優先順位に従って選択された状態を表わす文字を前記出力装置の表示部に表示させる表示制御ステップと、
前記外部装置からの要求を解析部により解析することに応じて、
状態を含む複数の状態を示す
有し、前記外部装置には前記出力ステップにおいて出力された情報を解析する解析部が備えられており該解析部による解析によって状態の認識がなされ、優先順位に従った状態の表示が前記外部装置の表示部になされる
　【０００８】
　或は、本発明は、外部装置からのデータに基づき印刷を行う出力装置における複数の状態から優先順位に従った状態を選択する選択手段と、前記選択手段により前記複数の状態から優先順位に従って選択された状態を表わす文字を前記出力装置の表示部に表示させる表示制御手段と、
前記外部装置からの要求を解析部により解析することに応じて、
状態を含む複数の状態を示す
し、前記外部装置には前記出力手段により出力された情報を解析する解析部が備えられており該解析部による解析によって状態の認識がなされ、優先順位に従った状態の表示が前記外部装置の表示部になされることを
　【０００９】
　【００１０】
　【実施例】
　以下添付図面を参照して、本発明に係る一実施例を詳細に説明する。
　【００１１】
　図１は本発明に係る出力装置の例を示すブロック図である。図において１は本実施例で説明するところの出力装置であり２はホストコンピュータや端末装置といった外部装置である。また１０１は前記ホストコンピュータ２から転送されるデータを受信する入力部である。ホストコンピュータ２と出力装置１はＲＳ２３２Ｃ等の双方向通信プロトコルで接続されるものとする。１０２は当該入力データを解析する第１の解析部である。１０３は当該解析部１で解析されるデータ以外の入力データを解析する第２の解析部である。１０４は前記解析部２によって入力データが印字や印字制御に係るデータであると判断された場合に当該入力データに従って一頁分のビットマップデータを作成する展開部である。１０５は前記ビットマップデータを印刷用紙に印刷する印字部である。印字部１０５の処理には前記ビットマップデータを印字ヘッドが印字を行なう上で適した形態に変換し、印刷用紙を給紙し、印字ヘッドへ印字データを送信し、印刷用紙の紙送りを行ない、印刷用紙を排紙し、印字ヘッドをホームポジションへ移動させる処理が含まれる。１０６は前記印字部が印字を行なう際の様々な状態を検知する情報検知部である。印字部情報とは紙づまりや紙なしまたはインクなし等のエラー情報であり、印字ヘッドがホームポジションにあるか否かといったヘッド情報である。１０７は前記第１の解析部１０２によって解析された結果入力データが出力装置の内部状態要求コマンドである際に送信データを作成する為の送信データ作成部である。１０８は本出力装置の内部状態をしめす前記送信データを前記ホストコンピュータ２に送信するための送信部である。１０９はＲＯＭ１１１の制御プログラムに従って出力装置を構成する各処理部の制御を行なう制御部である。１１０は出力装置に具備されたスイッチでありユーザがオンライン状態とオフライン状態を切り換える際に用いるオンラインスイッチである。１１１は後述するフローチャートの制御プログラムなどを格納するＲＯＭ（リードオンリーメモリ）である。１１２は出力装置の内部状態（以後ステータス）を格納するためのステータス格納部であり、ＲＡＭから成る。１１３は本出力装置の内部状態を表示するための表示部である。１１４は該表示部１１３に表示を行なう際の文字列を予め複数種用意して格納しておくための文字列格納部でありＲＯＭである。格納例を図１２に示す。１１５は表示部１１３に現在表示している文字列を格納しておくための現表示文字列格納部であり、ＲＡＭから成る。
　【００１２】
　以上の構成より成る本実施例での出力装置において、出力装置がオンライン、オフラインの各状態に移行する処理ステップを図２のフローチャートに示し、以下に説明する。
　【００１３】
　ステップ１１では出力装置にインクなしやジャム等のエラーが発生しているか否かの判断を行なう。これは後述する印字部情報検知部１０６が作成する図３に示す形態のステータスフラグを参照して行なう。図３における左３ビットの中１ビットでもＯＮの場合はエラー状態である。エラーでない場合はステッップ１２においてオンラインスイッチ１１０がユーザによって押下されたか否かの判別を行なう。出力装置はエラーでない場合オンラインスイッチ押下毎にオンライン状態とオフライン状態を遷移する。押下されていない場合はステップ１３においてオンライン処理を行ない、ステッップ１１に戻る。オンライン処理に関しては後述する。ステップ１１においてエラーと判断された場合やステップ１２においてオンラインスイッチが押下されたと判断した場合はオフライン処理へ移行する。ステップ１４では外部装置に対して通常データの送信を禁止する旨を知らせる。これは例えばＲＳ２３２Ｃの場合はｘｏｆｆデータ送信や、ＤＴＲ信号による送信禁止指令である。ステップ１５ではオフライン処理を行なう。オフライン処理に関しては後述する。ステップ１６ではステップ１２と同様オンラインスイッチの押下がされたか否かの判別を行なう。押下されていない場合はステップ１５へ戻り、押下された場合はオンライン処理へ移行する。ステップ１４では外部装置に対して通常データの送信を許可する旨を知らせる。これは例えばＲＳ２３２Ｃの場合はｘｏｎデータ送信や、ＤＴＲ信号による送信許可指令である。その後ステップ１１へ戻り前述の処理を行なう。ここでエラーが解除されていない場合はステップ１１におけるエラー判断で再びステップ１４へ進む。従って通常ユーザはエラーを解除してからオンラインスイッチを押下しオンラインへ移行する。出力装置は以上の流れに沿ってオンライン状態とオフライン状態を遷移する。
　【００１４】
　ステップ１１でエラーを判断する際に参照するステータスフラグは、図３に示すように構成され、ステータス格納部１１２に格納される。ステータスフラグを作成する処理は、印字部情報検知部１０６によって印字部１０５における情報を定期的に検知して行なっている。このステータスフラグ作成処理を図４のフローチャートに示し、説明する。
　【００１５】
　まずステップ１００においてジャムが発生しているか否かの判断を行なう。ジャムの検知は様々な方法が考えられるがここでは言及しない。ジャムが発生している場合はステプ１０１において図３に示すステータスのジャムビットをＯＮにする。同様に紙なしやインクなしの検知をステップ１０２〜ステップ１０５において行なう。ステップ１０６では印字ヘッドがキャッピング中か否かの判断を行なう。本出力装置は前述の通り液体のインクを用いてインクジェット方式で印字を行ない、印字ヘッドは複数の極細のノズルから構成されている。従って該ノズル内のインクが乾燥しないように印字ヘッドは印字中以外は図１２に示すように左端のホームポジションへ移動し、キャッピングを行なう必要がある。ユーザは該キャッピング状態を確認して出力装置の電源を切るのが望ましい。従って該情報もステータス情報としてユーザに知らしめるものである。キャッピング中の場合はステップ１０７においてキャッピングビットをＯＮにする。ステップ１０８において、印刷用のビットマップデータを展開する為に必要なメモリが確保できるか否かを判断し、メモリが確保できない場合はステップ１０９でメモリオーバビットをＯＮにする。以上のような処理の流れによってステータスを構成する。
　【００１６】
　図５に示すフローチャートは、図２のフローチャートにおけるステップ１３のオンライン状態における処理を示すものであり、データを入力し、一頁出力する際、若しくは応答をする際のフローチャートである。
　【００１７】
　まずステップ３０においてホストコンピュータからの送信データを入力部１０１によって入力する。この時の入力データは文字データや、また印刷ページを形成するための様々な印字制御を行なうコマンド、さらには出力装置の内部状態の送信を要求するステータス要求コマンドである。コマンドは図６に示すような形態でありコマンドバイツ、パラメータ、ターミネータの３つの部分より成る。通常コマンドバイツは複数（１〜３個）のコマンドバイトの組み合わせによって構成され、コマンドの種類を示す。パラメータは当該コマンドに関する詳細な指定を行ない、ターミネータによって当該コマンドの終結を示す。パラメータが複数個存在する際は図６（ｂ）に示すようにセパレータで区切ることによりパラメータを繋げることができる。当該コマンドの種類には例えば印字位置の指定、色の指定、文字の大きさ、行間隔の指定、改頁、さらにはステータス要求等がある。ステップ３１では第１解析部１０２によって前記コマンド種の中、ステータス要求に関するもののみを解析する。この判断は上述したコマンドバイツを参照して行なう。ステータス要求コマンドでない場合は印字データもしくは印字制御データと判断してステップ３３へ進む。ステップ３３では第２解析部１０３によって該コマンドの解析を行ない、該コマンドに従って色処理を行ない、ステップ３４において展開部１０４による印刷用のビットマップデータの作成を行なう。このときビットマップデータはＹＭＣＫに応じて４種類作成される。印字データの作成が終ると次にステップ３５において印字を行なう。印字は以下の手順で行なわれる。すなわちステップ３４で作成されたビットマップデータは印字部１０５によって印字ヘッドが印字を行なう上で適した形態に変換される。ここでいう適した形態とは印字ヘッドの形状に依存するものであり、例えば印字ヘッドが縦６４ノズルからなる場合は上記ビッドマップデータは上から６４ラスタずつのブロックに分割される。印字部１０５はデータの変換後、印刷用紙の給紙を行ない、前記データブロックを印字ヘッドに対して送信し、かつ印字ヘッドを駆動させて印刷用紙に印字を行なう。印字部１０５はこの後ヘッド高さ分（この場合６４ドット）の紙送りを行なう。これら一連の動作（すなわちデータブロック転送、印字、紙送り）を一頁分繰り返した後、印字部１０５は排紙を行ない、一頁分の印刷を終える。
　【００１８】
　ステップ３７においては出力装置の内部状態のパネル表示を行なう。
　【００１９】
　ステップ３７に示す表示処理の流れ図を図７に示す。ステップ３００では表示部１１３によってステータス格納部１１２のジャムビットが参照され、該ビットがＯＮであればステップ３０１において文字列格納部１１４内のジャム状態を示す文字列を現表示文字列格納部１１５に複写する。文字列格納部の例を図８に示す。このようにＲＯＭ内の固定のアドレスに文字列を割り当てておき、ステータス格納部１１２内のそれぞれのビットに相応する文字列が一意に決定できるようにする。例えばジャムの場合は文字列格納部の先頭アドレスから１６バイト目から始まる１６バイトの文字列を対象とする。文字列格納部内の文字列の格納方法はここでは限定しないが前記のようにステータスに相応する文字列が検索可能な構造であれば良い。現表示文字列格納部１１５には前記の通り上記選択された文字列が複写される。複写後はステップ３０９を経てステップ３１０において該現表示文字列格納部１１５に格納された文字列のＬＣＤ表示を行なう。ジャム時の表示の例を図９に示す。このように表示部で表示されるステータスは唯一である。すなわちステップ３００においてジャムビットがＯＮでない場合はステップ３０２においてステータス格納部の紙なしビットが参照されるが該ビットがＯＮの際にはステップ３０１と同様文字列格納部の文字列紙なし文字列を現表示文字列格納部へ複写した後、ステップ３１０へ進み、該文字列を表示する。このとき紙なしビットと同時にインクなしビットがＯＮであっても紙なしのみ表示する。同様にステップ３０４〜ステップ３０７において評価がなされ、表示がされる。ステップ３０８においてはステータス格納部内のいずれのビットもＯＮでなかったと判断し、これは印字可能状態であるのでレディ文字列を選択し、現表示文字列格納部へ複写する。このように表示はステータス格納部の各ビットの評価の順序に依存して、優先順位に従って行なわれる。
　【００２０】
　ここで一つのステータスのみを表示するのは表示部のスペースが不足するのを防止するために他ならず、表示領域が十分大きい場合は発生している全てのステータスを現表示文字列に格納しかつ表示してもよく、これは本発明の意図に反するものではない。
　【００２１】
　図２のステップ１２において解析した入力データがステータス要求コマンドである場合はステップ１６において外部装置への応答処理を行なう。
　【００２２】
　ステップ３１のコマンド解析１においてステータス要求コマンドがある場合は、ステップ３６において外部装置への応答処理を行なう。応答処理を表わす流れ図を図１０に示す。
　【００２３】
　ステップ６００ではコマンド部の送信を行なう。これは前述した通り図６に示す形態のコマンドの種類を表わす複数のバイトでありこの場合ステータス情報であることを示す。パラメータはステータスを示すビットが複数個ＯＮになっている場合は複数バイトにまたがる。従って図６（ｂ）のようなセパレータを用いた形態で送信する。送信は送信部１０８によって行なわれ、通信ケーブルを介してホストコンピュータ２ヘデータ転送される。ステップ６０１ではジャムビットがＯＮか否かを判断する。ＯＮの場合はステップ６０２においてジャムを示すパラメータ（この場合１とする）を送信する。ステップ６０１でジャムでないと判断された場合やステップ６０２処理後はステップ６０３において同様に紙なしビットが立っているか否か判断し、立っている場合はステップ６０４において紙なしを示すパラメータ（この場合２とする）を送信するが、このとき既にジャムを示すパラメータが送信済の場合はセパレータ（この場合セミコロン）を送信してから紙なしパラメータを送信する。ステップ６０５〜ステップ６０８において同様にインクなし、キャッピングに関する情報を送信する。全てのステータスビットの評価が終了するとステップ６０９においてターミネータ部の送信を行ないステータス情報送信の終結を示す。
　【００２４】
　図１１のフローチャートは本出力装置のオフライン状態における処理である。オフライン状態の処理は図５に示したオンライン処理の流れにおいて、ステップ３３〜ステップ３５を除いた形である。従ってオフライン状態では通常の印字データの解析や該データの展開、印字は行なわない。ステップ５０における印字データの入力は出力装置がオフライン状態であることからデータ送信禁止状態で送信されたデータである。すなわちステータス要求コマンドに関しては、通常の通信の取り決めを超えた形で行なわれるものであり、第１解析部１０２はこのような特別なコマンドを出力装置がオンライン状態であるかオフライン状態であるかに関わりなく解析する手段を供給するものである。ステップ５１〜ステップ５４はそれぞれ前述したオンライン時の処理におけるステップ３１、ステップ３２、ステップ３６、ステップ３７と全く同様の処理である。
　【００２５】
　ホストコンピュータは当該コマンドを受信し、解析することによって出力装置のステータスを認識する。従ってホストコンピュータにも本出力装置の入力部１０１、解析部１０２に相当する装置が必要であるのは言うまでもない。ホストコンピュータはステータス要求コマンドをある一定の周期で定期的にプリンタに対して送信し、ステータス情報を得る。または別の方法としてホストコンピュータの要求なしにプリンタがエラー発生を検知すると自動的に該情報をホストコンピュータに送信することも考えられる。
　【００２６】
　図１２にホストコンピュータと出力装置のステータス送受信の例を示す。ここで出力装置はインクなしでヘッドキャッピング中であるとする。すなわちホストから［ｅｓｃ］ａ５ｎというステータス要求コマンドが発行されると、出力装置（この場合オフライン）が前述した処理によって処理し、ステータス情報によって［ｅｓｃ］ｂ３；４ｎが送信される。ここで［ｅｓｃ］ｂがコマンドバイツであり、３；４がパラメータおよびセパレータであり、ｎがターミネータであることは前述の通りである。
　【００２７】
　ホストコンピュータは該ステータスを受信すると図９に示すような表示をＣＲＴ等の表示装置に表示する。
　【００２８】
　ユーザはＣＲＴを目視して出力装置がインクなし状態およびキャッピング状態であることを認識し、出力装置のインクを補充するかもしくは電源を落とす。
　【００２９】
　また、ステータス要求に対する応答処理として、図７のフローチャートに示すような処理の他に、現表示文字列格納部１１５内のメモリアドレスで管理を行なう処理も可能である。この処理を図１４のフローチャートに示し、以下に説明する。
　【００３０】
　ステップ４００ではコマンド部の送信を行なう。これは前述した通り図６に示す形態のコマンドの種類を表わすバイトでありこの場合ステータス情報であることを示す。パラメータは文字列であるので複数バイトにまたがる。従って図６（ｂ）のようなセパレータを用いた形態で送信する。送信は送信部１０８によって行なわれ、通信ケーブルを介してホストコンピュータ２へデータ転送される。ステップ４０１では現表示文字列格納部の先頭アドレスをポインタｐｔｒに代入する。ステップ４０２では全ての文字列の送信が終了したか否かの評価を行なう。これは文字列が１６文字固定であれば１６回以降に示すループを通過したか否かの評価であり、文字列がＮＵＬＬデータで終る形式ならｐｔｒの示す内容がＮＵＬＬか否かの評価である。終了でない場合はステップ４０３において該文字がパラメータとして第一番目か否かを評価する。これはセパレータ転送のためである。第一番目のパラメータの前には図６（ｂ）に示すようにセパレータを送信する必要がない。ステップ４０４では第二番目以降のパラメータの前のセパレータを送信する。ステップ４０５においては現在ｐｔｒが指すアドレスの文字を１バイト送信する。ステップ４０６ではｐｔｒをインクリメントし再びステップ４０２へ戻って評価を行なう。ステップ４０２において現表示文字列格納部内の全ての文字の送信が終了したと判断するとステップ４０７においてターミネータ部の送信を行ないステータス情報送信の終結を示す。
　【００３１】
　ホストコンピュータは出力装置からのコマンドを受信し、解析することによって出力装置のステータスを認識する。従ってホストコンピュータにも本出力装置の入力部、解析部に相当する装置が必要であるのは言うまでもない。ホストコンピュータはステータス要求コマンドをある一定の周期で定期的にプリンタに対して送信し、ステータス情報を得る。または別の方法としてホストコンピュータの要求なしにプリンタがエラー発生を検知すると自動的に該情報をホストコンピュータに送信することも考えられる。
　【００３２】
　ステータス情報によって出力装置から例えばジャム文字列「ＰＡＰＥＲ　ＪＡＭ」が送信されると、ホストコンピュータは図１５に示すような表示をＣＲＴ等の表示装置に表示する。
　【００３３】
　ユーザはＣＲＴを目視して出力装置がジャム状態であることを認識し、出力装置のジャム状態を解除する。
　【００３４】
　以上説明したように本実施例によれば、出力装置の内部状態に関する情報をユーザがホストコンピュータ上で認識することが可能となるため、回復するタイミングが容易に図れるものである。
　【００３５】
したがって出力装置に障害が発生しても速やかに回復し、意図する印字結果を得ることができる。
　【００３６】
　以上説明したように本実施例によれば、出力装置の内部状態に関する情報を出力装置がオンライン状態であるかオフライン状態であるかに関わりなく、ユーザがホストコンピュータ上で認識することが可能となる。
　【発明の効果】
　以上説明したように、本発明によれば、外部装置からのデータに基づき印刷を行う出力装置における複数の状態から優先順位に従った状態を選択し、該選択にて前記複数の状態から優先順位に従って選択された状態を表わす文字を前記出力装置の表示部に表示させ、
前記外部装置からの要求を解析部により解析することに応じて、
状態を含む複数の状態を示す
外部装置においては先に出力された情報を解析する解析部が備えられており該解析部による解析によって状態の認識がなされ、優先順位に従った状態の表示が表示部になされる
【図面の簡単な説明】
　【図１】
　本実施例に係る出力装置の構成を示すブロック図
　【図２】
　出力装置の全体的な処理のフローチャート
　【図３】
　ステータスフラグの構成例示図
　【図４】
　ステータスフラグ作成処理のルローチャート
　【図５】
　オンライン状態における処理のフローチャート
　【図６】
　コマンド例示図
　【図７】
　出力装置の内部状態を表示する処理のフローチャート
　【図８】
　文字列格納部に格納された文字列の例示図
　【図９】
　出力装置の内部状態表示例示図
　【図１０】
　ステータス要求に対する応答処理の第１のフローチャート
　【図１１】
　オフライン状態における処理のフローチャート
　【図１２】
　ホストコンピュータと出力装置の送受信例とホストの表示例示図
　【図１３】
　印字ヘッドの動きを示す概念図
　【図１４】
　ステータス要求に対する応答処理の第２のフローチャート
　【図１５】
　ホストコンピュータにおけるステータス情報表示例示図